(57)【要約】【解決手段】抽出装置のスロットに受けられるように構成されたフランジ（４０）と、フランジと直交して配置され、液体を通すスクリーン（２７）と、ポッドホルダの第１面上でスクリーンを取り囲む第１円筒壁であって、第１直径を有し、第１パック保持器具を規定する第１円筒壁（２５）と、ポッドホルダの反対面上でスクリーンを取り囲む第２円筒壁であって、第１直径よりも大きな第２直径を有し、第２パック保持器具を規定する第２円筒壁（３５）と、を備える飲料抽出装置用の多目的飲料ポッドホルダ（４）が開示される。ポッドホルダは、ポッドホルダの向きによって、同じ抽出装置で、エスプレッソ及びコーヒーの両方を抽出するのに用いることができる。【選択図】図２ａ
2016513495.tif 000002
【特許請求の範囲】
【請求項１】
飲料抽出装置用の多目的飲料ポッドホルダであって、
前記抽出装置のスロットに受けられるように構成されたフランジと、
前記フランジと直交して配置され、液体を通すスクリーンと、
前記ポッドホルダの第１面上で前記スクリーンを取り囲む第１円筒壁であって、第１直径を有し、第１パック保持器具を規定する、第１円筒壁と、
前記ポッドホルダの反対面上で前記スクリーンを取り囲む第２円筒壁であって、前記第１直径よりも大きな第２直径を有し、第２パック保持器具を規定する、第２円筒壁と、
を備える多目的飲料ポッドホルダ。
【請求項２】
前記第１パック保持器具及び前記第２パック保持器具の向きを示す指示器をさらに備える、請求項１に記載の多目的飲料ポッドホルダ。
【請求項３】
前記指示器は、視覚的指示器である、請求項２に記載の多目的飲料ポッドホルダ。
【請求項４】
前記指示器は、磁気指示器である、請求項２に記載の多目的飲料ポッドホルダ。
【請求項５】
前記指示器は、形状判定指示器である、請求項２に記載の多目的飲料ポッドホルダ。
【請求項６】
前記指示器は、接触型指示器である、請求項２に記載の多目的飲料ポッドホルダ。
【請求項７】
前記フランジは、その中間部分に沿って解放部材を受けるように形成されている、請求項１に記載の多目的飲料ポッドホルダ。
【請求項８】
前記フランジは、前記解放部材を受ける絞り部を備える、請求項７に記載の多目的飲料ポッドホルダ。
【発明の詳細な説明】
【技術分野】
【０００１】
関連出願の相互参照
本出願は、２０１３年３月５日に出願された米国仮特許出願第６１／７７３，０６５号、及び、２０１４年３月３日に出願された米国非仮特許出願第１４／１９５，４７６号の優先権を主張し、それらの内容を参照により組み込む。
【背景技術】
【０００２】
大容量のコーヒー抽出装置は、レストランビジネス、ホテルのホスピタリティ領域、及び、航空業界を含む多くの業界でよく知られている。これらのマシンは、一般的に、大型で、淹れたてのコーヒーを抽出するのに電源及び水の供給源を必要とする。大容量コーヒー抽出機は、熱湯を生成し、予備タンクに熱湯を使える状態に保持するため、加熱器、及び、加熱コイルや水温などを操作するための電子機器を備える。このため、これらのコーヒー抽出マシンは、台所またはギャレーにおいてかなりの作業スペースを占める。
【０００３】
エスプレッソコーヒーの人気が高まり、航空機、レストラン及び他のコーヒーを提供するビジネスは、コーヒー抽出マシンだけでなくエスプレッソマシンも作業スペースに備える必要が出てきた。一般的に、これらの２台のマシンは、隣り合わせで設置され、同じ水及び電気の供給源を用いるが、カウンターのスペースを２倍必要とする。エスプレッソは、コーヒーと異なる圧力、温度及び豆を用いて、コーヒーに用いるプロセスと類似するが、全く同一ではないプロセスによって作られる。台所領域、特に、航空機ギャレーにおいては、２台のマシンを用いることは、重量を２倍にし、利用できるスペースを半分に削減してしまう。本発明は、この欠点に対処する。
【発明の概要】
【課題を解決するための手段】
【０００４】
本発明は、大容量コーヒー抽出装置の抽出ポッドホルダであって、同じ抽出機でコーヒーとエスプレッソの両方を抽出するのに使用することができ、コーヒー抽出機をデュアルコーヒー／エスプレッソ抽出機に変換することができる。抽出ポッドホルダは、片面にパック詰めされたコーヒーの粉パックを保持するための第１バスケットを備え、ポッドホルダの裏側には、エスプレッソポッドに用いられる、異なる大きさのバスケットを備える。抽出ポッドホルダは、コーヒー／エスプレッソメーカーにおいて反転可能で、同じ抽出機で両方の飲料を抽出することができる。本発明の抽出ポッドホルダは、抽出機におけるポッドホルダの現在の向きを示すため、抽出機によって（機械的、磁気的または電気的に）読みこむことができるキー、タグあるいは何らかの指示器を有して形成することができ、これにより、準備されている飲料の種類が示され、抽出装置は、所望の飲料の正しい圧力、温度及び抽出時間を自動的に適用することができる。
【０００５】
本発明の他の特徴及び効果は、本発明の作用を一例として示している添付の図面と併せて以下の好適な実施形態の詳細な説明から、明らかになるであろう。
【図面の簡単な説明】
【０００６】
【図１】本発明を用いる種類の飲料抽出機の立面斜視図である。
【図２ａ】本発明の抽出カップのコーヒー抽出側の斜視図である。
【図２ｂ】本発明の抽出カップのエスプレッソ抽出側の斜視図である。
【図３】抽出カップが引き出された図１の飲料抽出機の部分組立分解立面図である。
【発明を実施するための形態】
【０００７】
図１は、本発明によって恩恵を受けることができる種類のコーヒーメーカー装置５０を示す。コーヒーメーカー５０は、それぞれ所望の飲料を抽出するのに必要な電子機器及び熱湯を貯蔵するのに用いられるメインハウジング５及びタンクアセンブリ１を備える。この特定の抽出装置において、抽出された飲料が出されるポートの下にプラテン３が配置され、プラテン３は、マグ、コーヒーカップまたはコーヒーデカンタを位置づける。カプチーノなどの飲料に泡を加える、あるいは、泡立てるための随意的な泡メーカー２がプラテン３に隣接して配置される。抽出装置５０は、「電源」ボタン、「エスプレッソ」ボタン、「コーヒー」ボタン、「熱湯」ボタン、「ルンゴ」ボタン、「カプチーノ」ボタン及び「泡追加」ボタンを含む、機械を操作するためのボタン６０などの様々な制御装置を備える。多目的抽出装置５０は、ボタン６０を介して入力コマンドを受け、ハウジング５内のマイクロプロセッサ及び論理回路を用いて要求された動作を行うことができる。抽出装置の中心には、抽出用の熱湯の下にコーヒーパックまたはエスプレッソポッドを揃えるポッドホルダ４が配置される。
【０００８】
図２ａ及び図２ｂは、本発明の同じ抽出ポッドホルダ４の両側を示す。図２ａは、コーヒー抽出側が見えているポッドホルダ４を示す。環状の縁２５は、パック詰めされたコーヒーの粉パックが上に置かれる抽出スクリーン２７の周囲にコーヒーパック保持器具を規定する。スクリーン２７は、抽出されたコーヒーが通り抜ける複数の微細孔３０を備える。抽出ポッドホルダ４は、抽出装置５０から抽出ポッドホルダ４を手で挿入及び引き出すのに用いられるフランジ４０を備える。図２ｂは、抽出ポッドホルダ４の反対側のエスプレッソパック保持器具５５を示す。より小さなエスプレッソ保持器具５５は、より小さなエスプレッソポッドに大きさを合わせられた、より太い円形隆起部３５によって形成される。パック詰めされたエスプレッソポッドは、エスプレッソ保持器具５５の内部に嵌合し、コーヒーに対して上述したものと同じスクリーン孔３０を通ってエスプレッソコーヒーが流れ出る。ポッドホルダ４は、コーヒーパック保持器具及びエスプレッソ保持器具２７，５５を支持する壁７５に位置する視覚的及び／または電子的指示器６０も備える。指示器６０は、抽出装置５０がコーヒーとエスプレッソのどちらの選択肢が選択されたかを判定することを可能にする、ポッドホルダ向き指示器でもよい。
【０００９】
図３は、抽出ポッドホルダ４がスロット８８から取り外された抽出装置５０の分解図を示す。タンクアセンブリ１は、ハウジング５の内部に配置され、プラテン３は、コーヒー出口の下に配置されてカップを保持し、こぼれた飲料を全て流れ出させる。抽出ポッドホルダ４は、熱湯の供給口のすぐ下のスロット８８に挿入され、締め具のような、ポッドホルダを適切な位置に係止するように開放及び閉鎖する旋回解放装置８０などのポッド固定機構によって適切な位置に保持されてもよい。一旦挿入されると、抽出ポッドホルダ４のフランジ４０の裏側は、抽出ポッドホルダ筐体８５の外壁７８にぴったりとくっつき、抽出ポッドホルダの向きに関わらず、熱湯出口のすぐ下にコーヒーの粉またはエスプレッソの粉を位置づける。ポッドホルダアセンブリ４の向きによって、エスプレッソまたはコーヒーのいずれかが抽出装置５０によって抽出される。
【００１０】
第１の好適な実施形態において、ポッドアセンブリ４の指示器６０は、コーヒー抽出機によって、磁気的、機械的または電子的に読み込まれ、抽出ポッドホルダアセンブリの向きが自動的に検出される。例えば、磁石の極が読み込まれてコーヒーとエスプレッソのどちらが選択されたかを判定してもよい。指示器は、形状から認識できるものでもよいし、または、スロット８８に配置されると自動的に抽出装置によって判定される固体表面及び空隙を有していてもよい。あるいは、ユーザは、制御パネル６２上の、「コーヒー」や「エスプレッソ」などの所望のボタン６０を押下するだけで、抽出装置５０は、その命令に従って抽出動作を行う。別の好適な実施形態において、ユーザ制御パネルは、抽出ポッドホルダ４の位置及び泡モジュール２に基づいて、許容される選択肢を点灯する。
【００１１】
運転中、旋回解放部材８０は、上げられ、抽出ポッドホルダ４は、抽出装置５０から取り外される。フランジ４０は、好ましくは、旋回解放部材の端部９４を受けてポッドホルダ４を適切な場所に係止するように構成された絞り部９２を備える。約４４から４５ミリメートルの直径を有するエスプレッソポッドは、エスプレッソパック保持器具５５の内部に配置され、抽出ポッドホルダ４は、筐体８５に再び挿入される。解放部材８０は、その後、閉められ、ポッドホルダ４を適切な場所に係止する。制御パネル６２上のボタンは、この構成で、カプチーノまたはエスプレッソ飲料が抽出できることを示すように点灯してもよい。ユーザは、その後、カプチーノまたはエスプレッソの選択肢を選択し、それにより、正しい圧力及び温度で加熱された蒸気が、ポッドホルダ４に保持されたエスプレッソポッドを通る。抽出された飲料は、その後、プラテン３に置かれたデカンタまたはマグに収集され、その後、顧客または乗客に提供される。解放部材８０は、その後、旋回されて開放し、使用したエスプレッソポッドを廃棄するためにポッドホルダ４が取り出され、抽出装置は、新しいサイクルの準備をする。コーヒー飲料を抽出する際は、本手順が繰り返されるが、ポッドホルダ４は、反対にされて、コーヒーパックが、コーヒー用に設計された反対側にあるより大きなコーヒーパック保持器具２７の内部に配置される。ハンドル８０が、その後、閉められ、制御パネル６２上でコーヒーライトが点灯する。一旦コーヒーが完全に抽出されると、解放部材８０が開放され、ポッドホルダ４が取り出され、コーヒーの粉が廃棄されて、抽出装置は新しいサイクルの準備をする。
【００１２】
本発明の特定の形態について例示及び記載したが、種々の改良が、本発明の要旨及び範囲を逸脱しない範囲で可能であることは、前述により明らかであろう。従って、本発明は、添付の特許請求の範囲以外によって限定を受けることを意図されていない。
【図１】
2016513495.tif 000003
【図２ａ】
2016513495.tif 000004
【図２ｂ】
2016513495.tif 000005
【図３】
2016513495.tif 000006
【手続補正書】
【提出日】平成27年11月20日(2015.11.20)
【手続補正１】
【補正対象書類名】図面
【補正対象項目名】全図
【補正方法】変更
【補正の内容】
【図１】
2016513495.tif 000007
【図２ａ】
2016513495.tif 000008
【図２ｂ】
2016513495.tif 000009
【図３】
2016513495.tif 000010
【国際調査報告】
2016513495.tif 000011
2016513495.tif 000012